(57)【要約】【課題】インターネットを介して収集した事件・事故・災害などに関する投稿データから、その事象の発生位置を特定するデータ処理装置、データ処理システム、データ処理方法及びプログラムを提供する。【解決手段】インターネットを介して収集した任意の事象に関する投稿データを処理するデータ処理装置１を、投稿データの投稿者情報から地名を抽出する投稿者情報解析部１１と、投稿データの投稿者による過去の投稿データから地名を抽出する過去投稿解析部１２と、投稿データ及びそれに付随するデータから事象の発生位置を特定する発生位置特定部１３とを備える構成とし、発生位置特定部１３において、投稿者情報解析部１１及び／又は過去投稿解析部１２での解析結果を利用して事象の発生位置を特定する。【選択図】図１
2018190113.tif 000002
【特許請求の範囲】
【請求項１】
インターネットを介して収集した任意の事象に関する投稿データを処理するデータ処理装置であって、
前記投稿データの投稿者情報から地名を抽出する投稿者情報解析部と、
前記投稿データの投稿者による過去の投稿データから地名を抽出する過去投稿解析部と、
前記投稿データ及びそれに付随するデータから前記事象の発生位置を特定する発生位置特定部と
を有し、
前記発生位置特定部は、前記投稿者情報解析部及び／又は前記過去投稿解析部での解析結果を利用して前記事象の発生位置を特定するデータ処理装置。
【請求項２】
前記発生位置特定部は、前記投稿者情報解析部で抽出された地名と、前記過去投稿解析部で抽出された地名が異なる場合は、前記投稿者情報解析部で抽出された地名を優先的に選択する請求項１に記載のデータ処理装置。
【請求項３】
更に、前記投稿データに付帯された画像から文字情報を抽出する画像解析部を有し、
前記発生位置特定部は、前記投稿者情報解析部及び前記過去投稿解析部での解析結果から前記事象の発生位置を特定できなかった場合に、前記画像解析部での解析結果を利用して前記事象の発生位置を特定する請求項１に記載のデータ処理装置。
【請求項４】
前記投稿データの投稿者をフォローしているユーザーのプロフィール情報から地名を抽出するフォロワー情報解析部と、
前記投稿データの投稿者がフォローしているユーザーのプロフィール情報から地名を抽出するフォローユーザー情報解析部と
を更に有し、
前記発生位置特定部は、前記画像解析部での解析結果から前記事象の発生位置を特定できなかった場合に、前記フォロワー情報解析部及び／又は前記フォローユーザー情報解析部での解析結果を利用して前記事象の発生位置を特定する請求項３に記載のデータ処理装置。
【請求項５】
前記投稿データの投稿者をフォローしているユーザーの投稿データから地名を抽出するフォロワー投稿解析部と、
前記投稿データの投稿者がフォローしているユーザーの投稿データから地名を抽出するフォローユーザー投稿解析部と
を更に有し、
前記発生位置特定部は、前記フォロワー情報解析部及び前記フォローユーザー情報解析部での解析結果から前記事象の発生位置を特定できなかった場合に、前記フォロワー投稿解析部及び／又は前記フォローユーザー投稿解析部での解析結果を利用して前記事象の発生位置を特定する請求項４に記載のデータ処理装置。
【請求項６】
前記投稿データに含まれるテキストから地名を抽出するテキスト解析部と、
前記投稿データから投稿位置情報を抽出する位置情報解析部と
を有し、
前記発生位置特定部は、前記テキスト解析部及び前記位置情報解析部での解析結果から前記事象の発生位置を特定できなかった場合に、前記投稿者情報解析部及び／又は前記過去投稿解析部での解析結果を利用して前記事象の発生位置を特定する請求項１〜５のいずれか１項に記載のデータ処理装置。
【請求項７】
請求項１〜６のいずれか１項に記載のデータ処理装置と、
インターネットを介して任意の事象に関する投稿データを収集するデータ収集装置と
を有し、
前記データ収集装置で収集した投稿データ又は投稿データ群を、前記データ処理装置で処理し、前記事象の発生位置を特定するデータ処理システム。
【請求項８】
前記データ処理装置で特定された発生位置情報を付加して、前記事象に関する投稿情報を外部配信する配信装置を有する請求項７に記載のデータ処理システム。
【請求項９】
１又は複数のデータ処理装置を用いて、インターネットを介して収集した任意の事象に関する投稿データを処理する方法であって、
前記データ処理装置により、
前記投稿データの投稿者情報から地名を抽出する投稿者情報解析工程と、
前記投稿データの投稿者による過去の投稿データから地名を抽出する過去投稿解析工程と、
前記投稿者情報解析工程及び／又は前記過去投稿解析工程で得た解析結果を利用して前記事象の発生位置を特定する発生位置特定工程と
を行うデータ処理方法。
【請求項１０】
前記発生位置特定工程では、前記投稿者情報解析工程で抽出された地名と、前記過去投稿解析工程で抽出された地名が異なる場合は、前記投稿者情報解析工程で抽出された地名を優先的に選択する請求項９に記載のデータ処理方法。
【請求項１１】
前記投稿者情報解析工程及び前記過去投稿解工程の解析結果から前記事象の発生位置を特定できなかった場合は、
更に、前記投稿データに付帯された画像から文字情報を抽出する画像解析工程を行い、
前記画像解析工程の解析結果を利用して前記事象の発生位置を特定する請求項９に記載のデータ処理方法。
【請求項１２】
前記画像解析工程の解析結果から前記事象の発生位置を特定できなかった場合は、
更に、前記投稿データの投稿者をフォローしているユーザーのプロフィール情報から地名を抽出するフォロワー情報解析工程と、
前記投稿データの投稿者がフォローしているユーザーのプロフィール情報から地名を抽出するフォローユーザー情報解析工程と
を行い、
前記フォロワー情報解析工程及び／又は前記フォローユーザー情報解析工程の解析結果を利用して前記事象の発生位置を特定する請求項１１に記載のデータ処理方法。
【請求項１３】
前記フォロワー情報解析工程及び前記フォローユーザー情報解析工程の解析結果から前記事象の発生位置を特定できなかった場合は、
前記投稿データの投稿者をフォローしているユーザーの投稿データから地名を抽出するフォロワー投稿解析工程と、
前記投稿データの投稿者がフォローしているユーザーの投稿データから地名を抽出するフォローユーザー投稿解析工程と
を行い、
前記フォロワー投稿解析工程及び／又は前記フォローユーザー投稿解析工程の解析結果を利用して前記事象の発生位置を特定する請求項１２に記載のデータ処理方法。
【請求項１４】
前記投稿データに含まれるテキストから地名を抽出するテキスト解析工程と、
前記投稿データから投稿位置情報を抽出する位置情報解析工程と
を行い、
前記テキスト解析工程及び前記位置情報解析工程の解析結果から前記事象の発生位置を特定できなかった場合に、前記投稿者情報解析工程及び前記過去投稿解析工程を行う請求項９〜１３のいずれか１項に記載のデータ処理方法。
【請求項１５】
コンピュータに、インターネットを介して収集した任意の事象に関する投稿データを処理させるプログラムであって、
前記投稿データの投稿者情報から地名を抽出する投稿者情報解析機能と、
前記投稿データの投稿者による過去の投稿データから地名を抽出する過去投稿解析機能と、
前記投稿者情報解析機能及び／又は前記過去投稿解析機能による解析結果を利用して前記事象の発生位置を特定する発生位置特定機能と
を実行させるプログラム。
【発明の詳細な説明】
【技術分野】
【０００１】
本発明は、インターネット上から収集した投稿データを処理するデータ処理装置、データ処理システム、データ処理方法及びプログラムに関する。より詳しくは、投稿データ及びそれに付随するデータから、特定の情報を抽出する技術に関する。
【背景技術】
【０００２】
インターネット上には、日々、数多くの文章や画像が投稿されている。特に、ソーシャル・ネットワーキング・サービス（social networking service：ＳＮＳ）は、手軽にコメントや写真を投稿できるため、事件、事故及び災害などに関する情報がリアルタイムで投稿されることがあり、投稿写真や投稿動画などがニュース・報道で利用され始めている。
【０００３】
一方、ＳＮＳへの投稿は短文テキストであることが多いため、インターネット上から事件、事故及び災害などに関する投稿データを収集しても、その事象がどこで発生しているのかを特定することが難しいという問題がある。そこで、従来、インターネットから収集した投稿データについて、投稿位置や投稿内容に関係する場所を特定するための技術が提案されている（特許文献１〜４参照）。
【０００４】
例えば、特許文献１には、ＳＮＳから収集した投稿コメントから、地名情報を含むコメントを抽出し、その中からニュースに含まれていた地名情報や放送局名などを含まないものをさらに抽出することで、テレビ放送や新聞記事などに由来するコメントを除き、地域情報の可読性を高めた情報抽出装置が開示されている。また、特許文献２には、基準地域とその周辺地域から発信された事件などに関する投稿データを収集し、収集された投稿データが多い地域を新たな基準地域として再度収集を行うことにより、事件現場に関する詳細情報を収集できるようにした検索装置が開示されている。
【０００５】
特許文献３には、位置情報付きの投稿コメントを所定地域範囲毎に分類し、その中で最も多いトピック番号を地域固有トピック番号として抽出し、各地域範囲の地域固有トピック番号に基づいて収集した全ての投稿コメントを分類することにより、その地域で発生した突発的な投稿文のみを抽出する方法が開示されている。また、特許文献４には、位置情報付きコメントを所定範囲に含まれる地図経路毎に分類し、その中で最も多いトピック番号を地図経路トピック番号として抽出し、各地図経路の地図経路トピック番号に基づいて各投稿コメントを分類する方法が開示されている。
【先行技術文献】
【特許文献】
【０００６】
【特許文献１】特開２０１４−１３７６３２号公報
【特許文献２】特開２０１４−１８２５２５号公報
【特許文献３】特開２０１６−４５９３８号公報
【特許文献４】特開２０１６−１３６３５８号公報
【発明の概要】
【発明が解決しようとする課題】
【０００７】
しかしながら、前述した特許文献１〜４に記載の方法では、投稿位置などの判定に必要な情報が十分に得られず、投稿内容に関係する場所を特定することはできないことがある。特に、事件・事故・災害などに関する投稿データをニュース・報道で利用する場合は、その事象の発生位置を特定することが重要であり、限られた情報の中から、短時間で発生位置を特定可能な技術が求められている。
【０００８】
そこで、本発明は、インターネットを介して収集した事件・事故・災害などに関する投稿データから、その事象の発生位置を特定可能なデータ処理装置、データ処理システム、データ処理方法及びプログラムを提供することを目的とする。
【課題を解決するための手段】
【０００９】
本発明に係るデータ処理装置は、インターネットを介して収集した任意の事象に関する投稿データを処理するデータ処理装置であって、前記投稿データの投稿者情報から地名を抽出する投稿者情報解析部と、前記投稿データの投稿者による過去の投稿データから地名を抽出する過去投稿解析部と、前記投稿データ及びそれに付随するデータから前記事象の発生位置を特定する発生位置特定部とを有し、前記発生位置特定部は、前記投稿者情報解析部及び／又は前記過去投稿解析部での解析結果を利用して前記事象の発生位置を特定するものである。
前記発生位置特定部は、前記投稿者情報解析部で抽出された地名と、前記過去投稿解析部で抽出された地名が異なる場合は、前記投稿者情報解析部で抽出された地名を優先的に選択してもよい。
本発明のデータ処理装置は、更に、前記投稿データに付帯された画像から文字情報を抽出する画像解析部を有していてもよく、その場合、前記発生位置特定部は、前記投稿者情報解析部及び前記過去投稿解析部での解析結果から前記事象の発生位置を特定できなかった場合に、前記画像解析部での解析結果を利用して前記事象の発生位置を特定する。
本発明のデータ処理装置は、前記投稿データの投稿者をフォローしているユーザーのプロフィール情報から地名を抽出するフォロワー情報解析部と、前記投稿データの投稿者がフォローしているユーザーのプロフィール情報から地名を抽出するフォローユーザー情報解析部とを更に有することもでき、その場合、前記発生位置特定部は、前記画像解析部での解析結果から前記事象の発生位置を特定できなかった場合に、前記フォロワー情報解析部及び／又は前記フォローユーザー情報解析部での解析結果を利用して前記事象の発生位置を特定する。
本発明のデータ処理装置は、前記投稿データの投稿者をフォローしているユーザーの投稿データから地名を抽出するフォロワー投稿解析部と、前記投稿データの投稿者がフォローしているユーザーの投稿データから地名を抽出するフォローユーザー投稿解析部とを更に有していてもよく、その場合、前記発生位置特定部は、前記フォロワー情報解析部及び前記フォローユーザー情報解析部での解析結果から前記事象の発生位置を特定できなかった場合に、前記フォロワー投稿解析部及び／又は前記フォローユーザー投稿解析部での解析結果を利用して前記事象の発生位置を特定する。
本発明のデータ処理装置は、前記投稿データに含まれるテキストから地名を抽出するテキスト解析部と、前記投稿データから投稿位置情報を抽出する位置情報解析部とを有し、前記発生位置特定部は、前記テキスト解析部及び前記位置情報解析部での解析結果から前記事象の発生位置を特定できなかった場合に、前記投稿者情報解析部及び／又は前記過去投稿解析部での解析結果を利用して前記事象の発生位置を特定することもできる。
【００１０】
本発明に係るデータ処理システムは、前述したデータ処理装置と、インターネットを介して任意の事象に関する投稿データを収集するデータ収集装置とを有し、前記データ収集装置で収集した投稿データ又は投稿データ群を、前記データ処理装置で処理し、前記事象の発生位置を特定する。
このデータ処理システムでは、更に、前記データ処理装置で特定された発生位置情報を付加して、前記事象に関する投稿情報を外部配信する配信装置を有していてもよい。
【００１１】
本発明に係るデータ処理方法は、１又は複数のデータ処理装置を用いて、インターネットを介して収集した任意の事象に関する投稿データを処理する方法であって、前記データ処理装置により、前記投稿データの投稿者情報から地名を抽出する投稿者情報解析工程と、前記投稿データの投稿者による過去の投稿データから地名を抽出する過去投稿解析工程と、前記投稿者情報解析工程及び／又は前記過去投稿解析工程で得た解析結果を利用して前記事象の発生位置を特定する発生位置特定工程とを行う。
前記発生位置特定工程では、前記投稿者情報解析工程で抽出された地名と、前記過去投稿解析工程で抽出された地名が異なる場合は、前記投稿者情報解析工程で抽出された地名を優先的に選択してもよい。
本発明のデータ処理方法では、前記投稿者情報解析工程及び前記過去投稿解工程の解析結果から前記事象の発生位置を特定できなかった場合は、更に、前記投稿データに付帯された画像から文字情報を抽出する画像解析工程を行い、前記画像解析工程の解析結果を利用して前記事象の発生位置を特定することもできる。
本発明のデータ処理方法では、前記画像解析工程の解析結果から前記事象の発生位置を特定できなかった場合は、更に、前記投稿データの投稿者をフォローしているユーザーのプロフィール情報から地名を抽出するフォロワー情報解析工程と、前記投稿データの投稿者がフォローしているユーザーのプロフィール情報から地名を抽出するフォローユーザー情報解析工程とを行い、前記フォロワー情報解析工程及び／又は前記フォローユーザー情報解析工程の解析結果を利用して前記事象の発生位置を特定してもよい。
本発明のデータ処理方法では、前記フォロワー情報解析工程及び前記フォローユーザー情報解析工程の解析結果から前記事象の発生位置を特定できなかった場合は、前記投稿データの投稿者をフォローしているユーザーの投稿データから地名を抽出するフォロワー投稿解析工程と、前記投稿データの投稿者がフォローしているユーザーの投稿データから地名を抽出するフォローユーザー投稿解析工程とを行い、前記フォロワー投稿解析工程及び／又は前記フォローユーザー投稿解析工程の解析結果を利用して前記事象の発生位置を特定してもよい。
本発明のデータ処理方法では、先ず、前記投稿データに含まれるテキストから地名を抽出するテキスト解析工程と、前記投稿データから投稿位置情報を抽出する位置情報解析工程とを行い、前記テキスト解析工程及び前記位置情報解析工程の解析結果から前記事象の発生位置を特定できなかった場合に、前記投稿者情報解析工程及び前記過去投稿解析工程を行ってもよい。
【００１２】
本発明に係るプログラムは、コンピュータに、インターネットを介して収集した任意の事象に関する投稿データを処理させるプログラムであって、前記投稿データの投稿者情報から地名を抽出する投稿者情報解析機能と、前記投稿データの投稿者による過去の投稿データから地名を抽出する過去投稿解析機能と、前記投稿者情報解析機能及び／又は前記過去投稿解析機能による解析結果を利用して前記事象の発生位置を特定する発生位置特定機能とを実行させるものである。
【００１３】
本発明における「事象」には、事件、事故、災害など報道などで取り上げられる様々な出来事が含まれ、その発生位置は国内に限られず、海外も含む。
【発明の効果】
【００１４】
本発明によれば、従来技術では位置の特定ができなかった投稿データについても、事件・事故・災害などの事象の発生位置を、短時間で特定することができる。
【図面の簡単な説明】
【００１５】
【図１】本発明の第１の実施形態のデータ処理装置の構成例を示す概念図である。
【図２】図１に示すデータ処理装置１を用いて投稿データを処理する方法を示すフローチャートである。
【図３】本発明の第１の実施形態の第１変形例のデータ処理装置の構成例を示す概念図である。
【図４】図３に示すデータ処理装置２を用いて投稿データを処理する方法を示すフローチャートである。
【図５】本発明の第１の実施形態の第２変形例のデータ処理装置の構成例を示す概念図である。
【図６】図５に示すデータ処理装置３を用いて投稿データを処理する方法を示すフローチャートである。
【図７】本発明の第２の実施形態に係るデータ処理システムの構成例を示す概念図である。
【発明を実施するための形態】
【００１６】
以下、本発明を実施するための形態について、添付の図面を参照して、詳細に説明する。なお、本発明は、以下に説明する実施形態に限定されるものではない。
【００１７】
（第１の実施形態）
先ず、本発明の第１の実施形態に係るデータ処理装置について説明する。図１は本実施形態のデータ処理装置の構成例を示す概念図である。図１に示すように、本実施形態のデータ処理装置１は、少なくとも投稿者情報解析部１１、過去投稿解析部１２及び発生位置特定部１３を備えており、任意の事象に関する投稿データから、その事象の発生位置を特定するものである。このデータ処理装置１には、必要に応じて画像解析部１４を設けることができる。
【００１８】
［投稿データ］
本実施形態のデータ処理装置１で処理される投稿データは、インターネットを介して収集された事件、事故、災害などの任意の事象に関するものであり、特に「投稿位置情報（ＧＰＳデータ）が含まれていない」又は「テキストに地名が含まれていない」などの理由で、従来の方法では事象の発生位置が特定できないものである。
【００１９】
データ処理装置１で用いられる投稿データは、投稿文やコメントなどのテキストデータ、それに付帯する画像データの他、プロフィールなどの投稿者に関する情報も含まれる。また、テキストデータや画像データは、収集の対象となった事象に関係する投稿のものだけでなく、同一投稿者による過去の投稿のものも含まれる。
【００２０】
［投稿者情報解析部１１］
投稿者情報解析部１１は、投稿者情報から地名を抽出するものである。投稿者は、自身の生活圏内において特定対象事象と遭遇した可能性があり、その場合、事象の発生位置は居住地、勤務地、出身地又はその周辺地域となるからである。
【００２１】
［過去投稿解析部１２］
過去投稿解析部１２は、同一投稿者が特定対象事象に関する投稿よりも前に投稿した投稿文やコメントから地名を抽出するものである。過去の投稿には、特定対象事象に関する情報や投稿者の生活圏に関する情報が含まれている可能性があるからである。
【００２２】
［発生位置特定部１３］
前記発生位置特定部は、投稿データ及びそれに付随するデータから事象の発生位置を特定するものである。例えば、投稿者情報解析部１１と過去投稿解析部１２で同じ地名が抽出された場合、又は、投稿者情報解析部１１と過去投稿解析部１２のいずれか一方でしか地名が抽出されなかった場合は、発生位置特定部１３は抽出された地名から発生位置を特定する。
【００２３】
また、投稿者情報解析部１１で抽出された地名と、過去投稿解析部１２で抽出された地名が異なる場合は、発生位置特定部１３は投稿者情報解析部１１で抽出された地名を優先的に選択する。なお、投稿者情報解析部１１及び過去投稿解析部１２のいずれも地名が抽出できなかった場合は、後述する画像解析部１４で抽出された地名から発生位置を特定してもよい。
【００２４】
［画像解析部１４］
画像解析部１４は、投稿データに付帯された画像から地名に関する文字情報を抽出するものである。具体的には、ＯＣＲなどの光学文字認識技術により、画像データから文字情報を抽出する。ここで、画像から抽出される文字情報としては、車のナンバー、住所表示板、標識、店の看板に記載されている地名などが挙げられる。
【００２５】
画像は事象の発生位置について有益な情報を有しているが、ＯＣＲなどの文字認識処理は、前述した地名抽出処理に比べて時間を要する。そこで、本実施形態のデータ処理装置１では、投稿者情報や過去投稿から事象の発生位置が特定できなかった投稿のみ画像解析部１４での解析結果を利用することとする。なお、画像解析部１４での処理は、投稿者情報解析部１１及び過去投稿解析部１２での解析の後に行ってもよいが、これらと同時期に処理を開始してもよい。
【００２６】
［動作］
次に、本実施形態のデータ処理装置１の動作、即ち、データ処理装置１を用いて投稿データを処理し、事象の発生位置を特定する方法について説明する。図２は本実施形態のデータ処理方法を示すフローチャートである。本実施形態のデータ処理方法は、１又は複数のデータ処理装置１を用いてインターネットを介して収集した任意の事象に関する投稿データを処理する方法であって、投稿者情報解析工程Ｓ１ａと、過去投稿解析工程Ｓ１ｂと、発生位置特定工程（Ｉ）Ｓ２ａを行う。
【００２７】
＜投稿者情報解析工程Ｓ１ａ＞
投稿者情報解析工程Ｓ１ａでは、プロフィールなどの投稿者に関する情報を解析して地名を抽出する。その際、投稿者情報に複数の地名が含まれていた場合は、最新の情報を優先的に選択し、時間的推移から優先度が確定できない場合は、より大きなくくりを採用する。
【００２８】
例えば、投稿者の最新の居住地が「Ａ市」であり、出身地が「Ｂ市」であった場合は、「Ａ市」を選択する。また、優先度が確定できず「Ａ市」と「Ｂ市」の両方が抽出された場合は、これらの市がある「Ｘ県」と判定すればよい。更に、投稿者情報に「Ｘ県Ａ市」と「Ｙ県Ｃ市」があり、いずれか一方を選択できない場合は、Ｘ県とＹ県を含む「Ｚ地方」と判定してもよいし、その両方を選択して「Ａ市又はＣ市」或いは「Ｘ県又はＹ県」と判定してもよい。なお、投稿者情報に地名が含まれていない場合は、「地名なし」と判定する。
【００２９】
＜過去投稿解析工程Ｓ１ｂ＞
過去投稿解析工程Ｓ１ｂでは、特定対象事象に関する投稿を行った投稿者が過去に投稿した投稿文やコメントなどの過去投稿データを解析して地名を抽出する。なお、過去投稿データに地名が含まれていない場合は「地名なし」と判定し、複数の地名が含まれていた場合は、特定対象事象に関する投稿に時間的に近いものを優先的に選択する。
【００３０】
＜発生位置特定工程（Ｉ）Ｓ２ａ＞
発生位置特定工程（Ｉ）Ｓ２ａでは、前述した投稿者情報解析工程Ｓ１ａ及び／又は過去投稿解析工程Ｓ１ｂで得た解析結果を利用して事象の発生位置を特定する。具体的には、投稿者情報解析工程Ｓ１ａと過去投稿解析工程Ｓ１ｂの一方が、「地名なし」であった場合は、地名が抽出された工程での解析結果を利用して事象の発生位置を特定する。
【００３１】
投稿者情報解析工程Ｓ１ａと過去投稿解析工程Ｓ１ｂで同じ地名が抽出された場合は、その地名に基づき事象の発生位置を特定する。一方、投稿者情報解析工程Ｓ１ａと過去投稿解析工程Ｓ１ｂで異なる地名が抽出された場合は、特定対象事象の発生位置である確率が高い投稿者情報解析工程Ｓ１ａでの解析結果を優先的に利用して発生位置を特定する。例えば、投稿者情報解析工程Ｓ１ａで「地名Ａ」が抽出され、過去投稿解析工程Ｓ１ｂで「地名Ｂ」が抽出された場合は、「地名Ａ」を事象の発生位置とする。
【００３２】
なお、投稿者情報解析工程Ｓ１ａと過去投稿解析工程Ｓ１ｂのいずれでも地名が抽出できなかった場合は、発生位置特定工程（Ｉ）Ｓ２ａでは「特定不可」とする。その場合、後述する画像解析工程Ｓ１ｃと発生位置特定工程（II）Ｓ２ｂを行う。
【００３３】
＜画像解析工程Ｓ１ｃ＞
画像解析工程Ｓ１ｃは、特定対象事象に関する投稿に付帯された画像から、ＯＣＲなどの光学文字認識技術を用いて、地名に関する文字情報を抽出する。具体的には、画像に含まれる車のナンバー、住所表示板、標識、店の看板などから、地名を抽出する。
【００３４】
この画像解析工程Ｓ１ｃは、発生位置特定工程（Ｉ）Ｓ２ａの後に行ってもよいし、投稿者情報解析工程Ｓ１ａ及び過去投稿解析工程Ｓ１ｂと同時並行で行ってもよい。投稿者情報解析工程Ｓ１ａ及び過去投稿解析工程Ｓ１ｂと同時並行で行う場合は、発生位置特定工程（Ｉ）Ｓ２ａで、投稿者情報解析工程Ｓ１ａ及び過去投稿解析工程Ｓ１ｂの解析結果と併せて、画像解析工程Ｓ１ｃでの解析結果を利用し、事象の発生位置の特定を行ってもよい。
【００３５】
＜発生位置特定工程（II）Ｓ２ｂ＞
発生位置特定工程（II）Ｓ２ｂでは、前述した画像解析工程Ｓ１ｃで抽出された地名（「地名Ｃ」）を利用して事象の発生位置を特定する。その際、画像に複数の地名が含まれていた場合は、住所表示板や標識などのようにより確実性の高いものを優先的に採用し、確実性の高い情報がない場合は、複数の情報を総合的に判定し、より大きなくくりを採用する。
【００３６】
例えば、住所表示板から読み取った地名が「Ａ市」であり、車のナンバーから読み取った地名が「Ｂ市」であった場合は、より確実性の高い「Ａ市」を選択する。また、住所表示板や標識などの確実性の高い文字情報がなく、車のナンバーから「Ａ市」と「Ｂ市」が抽出された場合は、これらの市がある「Ｘ県」と判定することができる。更に、画像に「Ｘ県Ａ市」と「Ｙ県Ｃ市」が含まれており、いずれか一方を選択できない場合は、Ｘ県とＹ県を含む「Ｚ地方」と判定してもよいし、その両方を選択して「Ａ市又はＣ市」或いは「Ｘ県又はＹ県」と判定してもよい。なお、画像に地名が含まれていない場合は、「地名なし」と判定する。
【００３７】
［プログラム］
前述した各工程は、データ処理装置の各機能を実現するためのコンピュータプログラムを作成し、１又は２以上のコンピュータに実装することにより実施することができる。即ち、本実施形態のデータ処理方法は、コンピュータに、投稿データの投稿者情報から地名を抽出する投稿者情報解析機能と、投稿データの投稿者による過去の投稿データから地名を抽出する過去投稿解析機能と、投稿者情報解析機能及び／又は過去投稿解析機能による解析結果を利用して事象の発生位置を特定する発生位置特定機能とを実行させることにより、実施することができる。
【００３８】
このコンピュータプログラムでは、投稿者情報解析機能で抽出された地名と、過去投稿解析機能で抽出された地名が異なる場合は、発生位置特定機能において、投稿者情報解析機能で抽出された地名を優先的に選択するようにしてもよい。また、本実施形態のコンピュータプログラムは、コンピュータに、前述した各機能に加えて、投稿データに付帯された画像から文字情報を抽出する画像解析機能を実行させ、投稿者情報解析機能及び過去投稿解機能による解析結果から事象の発生位置を特定できなかった場合に、発生位置特定機能は画像解析機能による解析結果を利用して事象の発生位置を特定するようにしてもよい。
【００３９】
なお、前述した各機能は、一のプログラムに搭載されている必要はなく、機能毎にプログラムを作成し、それらを連動させることにより実行してもよい。その場合、各プログラムを２台以上のコンピュータ又は装置に分割して実装し、動作させることもできる。
【００４０】
以上詳述したように、本実施形態のデータ処理装置は、投稿者に関する情報及び同一投稿者の過去の投稿、必要に応じて付帯画像から地名を抽出しているため、従来の方法で発生位置が特定できない投稿でも、事象の発生位置を特定することが可能となる。
【００４１】
（第１の実施形態の第１変形例）
次に、本発明の第１の実施形態の第１変形例に係るデータ処理装置について説明する。図３は本変形例のデータ処理装置の構成例を示す概念図である。なお、図３においては、図１に示すデータ処理装置１と同じ構成要素には同じ符号を付し、詳細な説明は省略する。図３に示すように、本変形例のデータ処置装置２は、前述した第１の実施形態のデータ処理装置１の各部に加えて、テキスト解析部２５と位置情報解析部２６を備えている。
【００４２】
［テキスト解析部２５］
投稿文やコメントなど、特定対象事象に関する投稿に含まれるテキストから地名を抽出するものである。特定対象事象の投稿に含まれる地名は、事象の発生位置を示している可能性が高く、発生位置の特定には特に有効な情報である。
【００４３】
［位置情報解析部２６］
投稿データから投稿位置情報（ＧＰＳデータ）を抽出するものである。投稿者は、事象の発生位置から投稿している可能性が高く、特定対象事象の投稿に付されているＧＰＳデータは、発生位置の特定に最も有効な情報である。
【００４４】
そして、本変形例のデータ処理装置２では、先ずは、テキスト解析部２５及び位置情報解析部２６での解析結果から事象の発生位置を特定し、これらで発生位置が特定できなかった場合に、発生位置特定部１３は、投稿者情報解析部１１及び／又は過去投稿解析部１２での解析結果を利用して事象の発生位置を特定する。
【００４５】
［動作］
図４は図３に示すデータ処理装置２を用いて投稿データを処理する方法を示すフローチャートである。図４に示すように、本変形例のデータ処理装置２は、投稿データに含まれるテキストから地名を抽出するテキスト解析工程Ｓ１０ａと、投稿データから投稿位置情報を抽出する位置情報解析工程Ｓ１０ｂとを行い、これらの解析結果から事象の発生位置を特定する発生位置特定工程Ｓ２０ａを行う。そして、発生位置特定工程Ｓ２０ａで事象の発生位置を特定できなかった場合に、前述した投稿者情報解析工程Ｓ１ａ及び過去投稿解析工程Ｓ１ｂを行う。
【００４６】
［プログラム］
前述した各工程は、データ処理装置の各機能を実現するためのコンピュータプログラムを作成し、１又は２以上のコンピュータに実装することにより実施することができる。即ち、本変形例のデータ処理方法は、コンピュータに、前述した第１の実施形態のプログラムの各機能に加えて、投稿データに含まれるテキストから地名を抽出するテキスト解析機能と、投稿データから投稿位置情報を抽出する位置情報解析機能とを実行させ、テキスト解析機能及び位置情報解析機能による解析結果から事象の発生位置を特定できなかった場合に、投稿者情報解析機能及び過去投稿解析機能を実行させることにより、実施することができる。
【００４７】
本変形例のデータ処理装置２では、テキストやＧＰＳデータなどのような事象の発生位置を容易に特定可能な情報を有している投稿データについては、これらの情報に基づき事象の発生位置を特定し、これらで発生位置を特定できない投稿データについてのみ投稿者情報や過去投稿を解析しているため、効率的にかつ精度よく事象の発生位置を特定することができる。なお、本変形例における上記以外の構成及び効果は、前述した第１の実施形態と同様である。
【００４８】
（第１の実施形態の第２変形例）
次に、本発明の第１の実施形態の第２変形例に係るデータ処理装置について説明する。図５は本変形例のデータ処理装置の構成例を示す概念図である。なお、図５においては、図１に示すデータ処理装置１と同じ構成要素には同じ符号を付し、詳細な説明は省略する。図５に示すように、本変形例のデータ処置装置３は、前述した第１の実施形態のデータ処理装置１の各部に加えて、フォロワー解析部３７とフォローユーザー解析部３８を備えている。
【００４９】
［フォロワー解析部３７］
フォロワー解析部３７は、特定対象事象に関する投稿の投稿者をフォローしているユーザー（フォロワー）のプロフィール情報から地名を抽出するフォロワー情報解析部と、フォロワーの投稿データから地名を抽出するフォロワー投稿解析部とを備える。フォロワーは、投稿者と生活圏が共通していることがあり、フォロワーの出身地や居住地などの情報、投稿文やコメントなどのテキストから抽出された地名に、事象の発生位置が含まれている可能性があるからである。
【００５０】
［フォローユーザー解析部３８］
フォローユーザー解析部３８は、特定対象事象に関する投稿の投稿者がフォローしているユーザーのプロフィール情報から地名を抽出するフォロワー情報解析部と、フォローユーザーの投稿データから地名を抽出するフォローユーザー投稿解析部とを備える。投稿者は、地震と生活圏が共通しているユーザーをフォローしていることがあり、フォローユーザーの出身地や居住地などの情報、投稿文やコメントなどのテキストから抽出された地名に、事象の発生位置が含まれている可能性があるからである。
【００５１】
本変形例のデータ処理装置３では、発生位置特定部１３は、投稿者情報解析部１１及び過去投稿解析部１２での解析結果から事象の発生位置を特定できなかった場合は、画像解析部１４での解析結果から事象の発生位置を特定する。そして、画像解析部１４での解析結果でも発生位置を特定できなかった場合に、フォロワー解析部３７やフォローユーザー解析部３８での解析結果を利用して事象の発生位置を特定する。
【００５２】
［動作］
図６は図５に示すデータ処理装置３を用いて投稿データを処理する方法を示すフローチャートである。図６に示すように、本変形例のデータ処理装置３は、発生位置特定工程（II）Ｓ２ｂにおいて、画像解析工程Ｓ１ｃの解析結果から事象の発生位置を特定できなかった場合に、更に、フォロワー解析工程Ｓ３ａ及びフォローユーザー解析工程Ｓ３ｂを行い、これらの解析結果から事象の発生位置を特定する発生位置特定工程（III）Ｓ４を行う。
【００５３】
具体的には、フォロワーのプロフィール情報から地名を抽出すると共に、フォローユーザーのプロフィール情報から地名を抽出し、抽出された地名から事象の発生位置を特定する。また、フォロワー及びフォローユーザーのプロフィール情報から地名が抽出されなかった場合は、フォロワーの投稿データ及びフォローユーザーの投稿データから地名を抽出し、その結果を利用して事象の発生位置を特定する。
【００５４】
［プログラム］
前述した各工程は、データ処理装置の各機能を実現するためのコンピュータプログラムを作成し、１又は２以上のコンピュータに実装することにより実施することができる。即ち、本変形例のプログラムは、画像解析機能の解析結果から事象の発生位置を特定できなかった場合は、コンピュータに、フォロワーのプロフィール情報から地名を抽出するフォロワー情報解析機能と、フォローユーザーのプロフィール情報から地名を抽出するフォローユーザー情報解析機能とを実行させる。そして、発生位置特定機能が、フォロワー情報解析機能やフォローユーザー情報解析機能の解析結果を利用して事象の発生位置を特定するようにしてもよい。
【００５５】
更に、本変形例のプログラムは、フォロワー情報解析機能及びフォローユーザー情報解析機能の解析結果から事象の発生位置を特定できなかった場合は、コンピュータに、フォロワーの投稿データから地名を抽出するフォロワー投稿解析機能と、フォローユーザーの投稿データから地名を抽出するフォローユーザー投稿解析機能とを実行させる。そして、発生位置特定機能が、フォロワー投稿解析機能やフォローユーザー投稿解析機能の解析結果を利用して事象の発生位置を特定するようしてもよい。
【００５６】
本変形例のデータ処理装置３では、フォロワーやフォローユーザーの情報や投稿を解析しているため、投稿者の情報や投稿データから発生位置を特定できない事象についても、発生位置を特定することが可能となる。これにより、事象の発生位置の特定精度を高めることができる。
【００５７】
なお、本変形例における上記以外の構成及び効果は、前述した第１の実施形態と同様である。また、本変形例のデータ処置装置は、前述した第１変形例の構成と組み合わせることも可能である。その場合、テキスト解析部と位置情報解析部を更に設け、これらの解析結果では発生位置が特定できない投稿についてのみ、投稿者情報解析部及び過去投稿解析部で解析を行えばよい。
【００５８】
（第２の実施形態）
次に、本発明の第２の実施形態に係るデータ処理システムについて説明する。図７は本実施形態のデータ処理システムの構成例を示す概念図である。図７に示すように、本実施形態のデータ処理システム４０は、前述した第１の実施形態のデータ処理装置１と、インターネット４を介して任意の事象に関する投稿データ５ａ，５ｂを収集するデータ収集装置４１を備える。
【００５９】
このデータ処理システム４０は、データ収集装置４１で収集した投稿データ５ａ，５ｂ又はこれらを分類した投稿データ群を、データ処理装置１で処理し、事象の発生位置を特定する。また、本実施形態のデータ処理システム４０には、データ処理装置１で特定された発生位置情報を付加して、事象に関する投稿情報を外部配信する配信装置４２が設けられていてもよい。
【００６０】
本実施形態のデータ処理システムは、投稿者情報解析部及び過去投稿解析部、必要に応じて画像解析部で投稿者に関する地名を抽出し、その結果を利用して事象の発生位置を特定するデータ処理装置を備えているため、従来の方法で発生位置が特定できない投稿でも、事象の発生位置を特定することが可能となる。なお、本実施形態における上記以外の構成及び効果は、前述した第１の実施形態と同様である。
【００６１】
また、図７には図１に示す第１の実施形態のデータ処置装置１を用いた構成を示しているが、本発明はこれに限定されるものではない。具体的には、図３に示すデータ処置装置２のようにテキスト解析部及び位置情報解析部を備えるものや、図５に示すデータ処理装置３のようにフォロワー解析部及びフォローユーザー解析部を備えるものを用いてもよく、その場合も同様の効果が得られる。
【符号の説明】
【００６２】
１〜３  データ処理装置
４  インターネット
５ａ，５ｂ  投稿データ
１１  投稿者情報解析部
１２  過去投稿解析部
１３  発生位置特定部
１４  画像解析部
２５  テキスト解析部
２６  位置情報解析部
３７  フォロワー情報解析部
３８  フォローユーザー情報解析部
４０  データ処理システム
４１  データ収集装置
４２  配信装置
【図１】
2018190113.tif 000003
【図２】
2018190113.tif 000004
【図３】
2018190113.tif 000005
【図４】
2018190113.tif 000006
【図５】
2018190113.tif 000007
【図６】
2018190113.tif 000008
【図７】
2018190113.tif 000009